(57)【特許請求の範囲】
【請求項１】
棚の前方に、左右方向を向く上部レールと下部レールとを、互いに平行をなすように所要寸法離間させて設け、これら両レールに、ほぼ垂直をなす枠状のはしご支持体を、左右方向に移動可能に連係するとともに、前記はしご支持体に、下端にキャスタを有するはしご本体の上端部を、上下に移動可能かつ適所に設けた停止部材により下方へ移動するのを規制して連結することにより、前記はしご支持体にほぼ垂直をなして近接する格納位置と、上端部を中心として前方に回動させることにより、前記キャスタがはしご本体の前方の床面に接する使用位置とに保持し得るようにし、上部レールと下部レールとを、棚に取付けたブラケットにより支持し、下部レール及びそれを支持するブラケットの位置を、はしご本体の上端部の連結部付近としたことを特徴とする棚用移動はしご装置。
【請求項２】
はしご支持体の下端に、床面走行用の車輪を設けた請求項１に記載の棚用移動はしご装置。
【請求項３】
はしご本体のキャスタを、垂直軸回りに回動可能とした請求項１または２記載の棚用移動はしご装置。
【請求項４】
はしご本体の上端部裏面に、はしご本体との間に上下方向を向く所要長さのガイド空間が形成されるようにした連結杆を取付け、この連結杆をはしご支持体に設けた水平の支持杆に遊嵌することにより、はしご本体の上端部をはしご支持体に連結した請求項１ないし３のいずれかに記載の棚用移動はしご装置。
【請求項５】
はしご本体の適所に、該はしご本体を垂直の格納位置としたとき、はしご支持体の下部に設けた係止杆に上方より嵌合可能な上向きコ字状の係合片を設けた請求項１ないし４のいずれかに記載の棚用移動はしご装置。
【発明の詳細な説明】
【０００１】
【発明の属する技術分野】
本発明は、図書館等の本棚の前方に側方移動可能に設置されるはしご装置に関する。
【０００２】
【従来の技術】
図書館等においては、上方の空間を有効利用して、書籍の収納効率を高めるために、高さの高い本棚を設置することがある。このような高さの高い本棚を設置すると、手の届かない高位置の書籍の出し入れに支障を来すので、脚立やはしごが用いられるが、従来は、それらを保管場所に置いておき、必要時にその都度本棚まで運搬して使用していた。
【０００３】
【発明が解決しようとする課題】
上述のように、脚立やはしごをその都度保管場所より運搬したのでは、大きな図書館の場合、運搬作業が大きな負担となる。
【０００４】
また、脚立では、通路に大きく広がるため、歩行の妨げとなる。
【０００５】
本発明は、上記問題点を解決するためになされたもので、本棚等の前方に、それと一体的に側方移動可能に設置するとともに、使用状態と格納状態に容易に保持し得るようにし、高位置の書籍等を簡単に出し入れすることができるようにした棚用移動はしご装置を提供することを目的としている。
【０００６】
【課題を解決するための手段】
上記課題を解決するために、本発明の棚用移動はしご装置は、棚の前方に、左右方向を向く上部レールと下部レールとを、互いに平行をなすように所要寸法離間させて設け、これら両レールに、ほぼ垂直をなす枠状のはしご支持体を、左右方向に移動可能に連係するとともに、前記はしご支持体に、下端にキャスタを有するはしご本体の上端部を、上下に移動可能かつ適所に設けた停止部材により下方へ移動するのを規制して連結することにより、前記はしご支持体にほぼ垂直をなして近接する格納位置と、上端部を中心として前方に回動させることにより、前記キャスタがはしご本体の前方の床面に接する使用位置とに保持し得るようにし、上部レールと下部レールとを、棚に取付けたブラケットにより支持し、下部レール及びそれを支持するブラケットの位置を、はしご本体の上端部の連結部付近としたことを特徴としている。
上記構成の本発明によると、はしご支持体を上下のレールに沿って左右方向に移動させ、はしご本体を所望の本棚等の前方に引き出すだけで、高位置の書籍を容易に出し入れすることができる。
また、不使用には、はしご本体を垂直状態に格納しておけるので通路歩行時の障害となることはない。
さらに、はしご本体の下端にキャスタを備えているので、はしご本体の引き出しや格納が容易となる。そして建物の天井や床面等にレール等を取付ける必要がなく、はしご本体よりの荷重が、下部レール及びそのブラケットにより受けられるので、はしご支持体に無理な曲げ荷重が作用するのが防止される。
【０００９】
上記はしご装置において、はしご支持体の下端に、床面走行用の車輪を設けるのが好ましい。
このようにすると、はしご支持体を容易かつ円滑に移動させることができる。
【００１０】
上記はしご装置において、はしご本体のキャスタを、垂直軸回りに回動可能とするのが好ましい。
このようにすると、はしご本体を使用状態としたままでも、これとはしご支持体とを左右方向に移動させることができる。
【００１１】
上記はしご装置において、はしご本体の上端部裏面に、はしご本体との間に上下方向を向く所要長さのガイド空間が形成されるようにした連結杆を取付け、この連結杆をはしご支持体に設けた水平の支持杆に遊嵌することにより、はしご本体の上端部をはしご支持体に連結するのが好ましい。
このようにすると、簡単な構造で、はしご本体を上下移動かつ前後に回動させることができる。
【００１２】
上記はしご装置において、はしご本体の適所に、該はしご本体を垂直の格納位置としたとき、はしご支持体の下部に設けた係止杆に上方より嵌合可能な上向きコ字状の係合片を設けるのが好ましい。
このようにすると、格納状態としたはしご本体が、振動等により前方に飛び出すことはない。
【００１３】
【発明の実施の形態】
以下、本発明の実施形態を図面に基づいて説明する。
【００１４】
図１は、本発明の斜視図、図２は、はしご使用時の一部切欠側面図、図３は、同じくはしご不使用時（格納時）の一部切欠側面図を示している。
【００１５】
各図において、１は、図書館等の本棚で、その上端部と中間部との前方には、左右方向を向く下向きコ字状断面の上部レール２と、上向きコ字状断面の下部レール３とが、それらの裏面に、本棚１の側板１ａに取付けた前方を向く複数のブラケット４の前端を固定することにより、互いに平行状に設けられている。
【００１６】
５は、縦長短形枠状のはしご支持体で、その下端に固着された下向きコ字状の連結杆６内には、左右１対の車輪７，７が、前後方向を向く軸により回転自在に枢支され、この車輪７が床面上を転動することにより、はしご支持体５を左右方向に移動させることができる。なお、車輪７には、その回転をロック及び許容するストッパ（図示略）が設けられている。
【００１７】
はしご支持体５の左右の支柱８における上端部と中間部の裏面には、上方のものを側面視Ｌ字形に、下方を逆Ｌ字形にそれぞれ折曲した支持片９が固着され、それらの支持片９の水平片９ａには、上方を向くガイドローラ１０と下方を向くガイドローラ１１とが、垂直軸回りに回転自在に取付けられている。
【００１８】
上記各ガイドローラ１０，１１は、上下のレール２，３のコ字空間内に遊嵌されている。これにより、はしご支持体５は、上半部がレール２，３に保持された状態で、床面上を左右方向に安定的に移動させることができる。
【００１９】
両支柱８の上方寄りの対向面間には、一方に着脱可能なフック（図示略）を備える安全ベルト１２が取付けられ、これを作業者の上体の背面に半巻きして支持することにより、書籍等の出し入れ作業を安全に行うことができる。
【００２０】
１３は、両支柱８の上端部裏面に左右両端が固着された、後向きに若干折曲した複数の補強杆、１４は補強板である。
【００２１】
１５は、上下長がはしご支持体５よりも若干短寸のはしご本体で、左右の脚柱１６の対向面間には、複数の踏み板１７が上下に一定の間隔を設けて取付けられている。
【００２２】
両脚柱１６の下端には、垂直軸回りに回動可能な、ストッパ１８を有するキャスタ１９が取付けられている。
【００２３】
両脚柱１６の上端部裏面には、側面視ほぼ前向きコ字形をなす連結杆２０の上下の前端が固着され、脚柱１６の裏面と連結杆２０との間には、上下方向を向く所要長さのガイド空間２１が形成されている。
【００２４】
はしご本体１５は、上記左右の連結杆２０のガイド空間２１内に、はしご支持体５における両支柱８の中間部、すなわち、下部レール３付近の対向面間に結合した、停止部材としての水平パイプ状の支持杆２２に挿通することにより、その上端がはしご支持体５に連結されている。
【００２５】
これにより、はしご本体１５は、ガイド空間２１の範囲内において上下に移動させることができ、かつ連結杆２０の上端が支持杆２２に当接するまで前方に引き出したとき、図２に示す使用状態に保持される。
【００２６】
両脚柱１６の下方寄りの裏面には、側面視下向コ字状の係合片２３が固着され、この係合片２３は、はしご支持体５の両支柱８間の下方寄りに固着された係止杆２４に、上方より嵌合されるようになっている。すなわち、はしご本体１５を図２の使用状態からはしご支持体５に向かって移動させ、上方に持ち上げつつ係合片２３を係止杆２４に嵌合することにより、図３に示す格納状態にほぼ垂直に保持される。
【００２７】
上記実施形態の移動はしご装置においては、本棚１の前方に、レール２，３に沿って左右方向に移動可能なはしご支持体５を設け、これに、下端にキャスタ１９を備えるはしご本体１５の上端を、上下に移動可能かつ使用位置と格納位置とに保持し得るように連結しているため、所望の本棚１まで側方移動させ、はしご本体１５を前方に引き出すだけで、高位置の書籍等を容易に出し入れすることができる。
【００２８】
また、不使用時には、はしご本体１５を、はしご支持体５に密接させて垂直状態に格納しておけるので、通路歩行時の妨げとなることはない。
【００２９】
さらに、はしご本体１５の下端にキャスタ１９を設けてあるため、はしご本体１５の引き出しや格納が容易であり、また、キャスタ１９は垂直軸回りに回転し得るため、使用状態としたままでも側方に移動させることができる。
【００３０】
下部レール３及び下方のブラケット４の位置を、はしご本体１５の上端付近、すなわちはしご支持体５に最も荷重が加わる位置付近としてあるため、はしご支持体５に無理な曲げ荷重が作用することがない。
【００３１】
本発明のはしご装置は、本棚１にブラケット４を介して取付けられ、建物の天井や床面、壁体等を使用していないため、施工性が良く、既設の図書館等の本棚にも容易に後施工することができる。
【００３２】
なお、はしご支持体５とはしご本体１５との連結部の構造は、図４に示すようにしてもよい。
【００３３】
すなわち、左右の支柱８に、短寸の角筒状の支持部材２５を上下に摺動自在に嵌合し、この支持部材２５間に固着された支持杆２６に、はしご本体１５の両脚柱１６の上端を回動可能に枢着し、はしご本体１５の使用時において両支持部材２５が、その下方の支柱８に固定されたストッパ２７と当接するようにする。
【００３４】
このようにしても、上述と同様、はしご本体１５を使用状態と格納状態とに容易に保持することができる。
【００３５】
【発明の効果】
本発明によれば、次のような効果を奏する。
【００３６】
（ａ）請求項１に記載の発明によれば、はしご支持体を側方に移動させ、はしご本体を所望の本棚等の前方に引き出すだけで使用状態となるので、高位置の書籍等を容易に出し入れすることができる。
また、不使用時には、はしご本体を垂直に格納しておけるので、通路歩行時の障害となることはない。
さらに、はしご本体の下端にキャスタを設けてあるので、はしご本体の前方への引き出しや格納が容易となる。そして建物の天井や床面等にレール等を取付ける必要がなく、はしご本体よりの荷重が、下部レール及びそのブラケットにより受けられるので、はしご支持体に無理な曲げ荷重が作用するのが防止される。
【００３９】
（ｂ）請求項２に記載の発明によれば、はしご支持体を容易かつ円滑に移動させることができる。
【００４０】
（ｃ）請求項３に記載の発明によれば、はしご本体を使用状態としたままでも、これをはしご支持体と共に移動させることができ、便利である。
【００４１】
（ｄ）請求項４に記載の発明によれば、簡単な構造で、はしご本体を上下移動かつ前方に回動させることができ、コスト低減が可能となる。
【００４２】
（ｅ）請求項５に記載の発明によれば、格納状態に保持したはしご本体が、振動等により前方に飛び出すことはなく、安全である。
【図面の簡単な説明】
【図１】本発明の実施形態における使用状態の斜視図である。
【図２】同じく、使用状態の一部切欠側面図である。
【図３】同じく、格納時の一部切欠側面図である。
【図４】はしご本体とはしご支持体との連結部の変形例を示す要部の斜視図である。
【符号の説明】
１          本棚
１ａ        側板
２          上部レール
３          下部レール
４          ブラケット
５          はしご支持体
６          連結杆
７          車輪
８          支柱
９          支持片
１０、１１  ガイドローラ
１２        安全ベルト
１３        補強杆
１４        補強板
１５        はしご本体
１６        脚柱
１７        踏み板
１８        ストッパ
１９        キャスタ
２０        連結杆
２１        ガイド空間
２２        支持杆（停止部材）
２３        係合片
２４        係止杆
２５        支持部材
２６        支持杆
２７        ストッパ（停止部材）
【図１】
0004503146.tif 000002
【図２】
0004503146.tif 000003
【図３】
0004503146.tif 000004
【図４】
0004503146.tif 000005